(57)【要約】      （修正有）【課題】充電ステーションもしくは充電スポットで充電する以外、充電場所の問題を有効に解決し、更に電気メーターを備えることで、具体的な充電量の統計を実施する電気自動車の充電延長ケーブルを提供する。【解決手段】電気自動車の充電延長ケーブルは、延長ケーブル主体を含む。該延長ケーブル主体は、家庭用回路と相互に連接する延長ケーブルプラグ１を含む。延長ケーブルプラグ１は、第一延長ケーブル２で電磁保護スイッチ３を連接し、電磁保護スイッチ３の電流出力端は電気メーター４を連接し、電気メーター４の電流出力端は第二延長ケーブル５で延長ケーブルコンセント９を連接し、延長ケーブルコンセント９は電気自動車充電ガン２０と連接するのに用いる。本考案の電気自動車の充電延長ケーブルは電磁保護機能を備え、充電時の安全性を向上させ、家庭用回路と連接する。【選択図】図１
0003212606.tif 000002
【実用新案登録請求の範囲】
【請求項１】
電気自動車の充電延長ケーブルにおいて、
家庭用回路と電気自動車充電ガンの間に連接し、：延長ケーブル主体を含み、該延長ケーブル主体は家庭用回路と相互に連接する延長ケーブルプラグを含み、該延長ケーブルプラグは第一延長ケーブルで電磁保護スイッチを連接し、該電磁保護スイッチの電流出力端は電気メーターを連接し、該電気メーターの電流出力端は第二延長ケーブルで延長ケーブルコンセントを連接し、該延長ケーブルコンセントは、電気自動車充電ガンと連接するのに用いることを特徴とする電気自動車の充電延長ケーブル。
【請求項２】
前記電気自動車の充電延長ケーブルは、更に回路コネクタを含み、該回路コネクタは入力端子とコネクタコンセントを含み、該入力端子と家庭用回路の電気メーターの電流出力端子は相互に連接し、該コネクタコンセントと該延長ケーブル主体の延長ケーブルプラグの間は相互にプラグインすることを特徴とする請求項１記載の電気自動車の充電延長ケーブル。
【請求項３】
前記延長ケーブル主体は、更に保護ケースを含み、該電磁保護スイッチと電気メーターは共に該保護ケース内に設置し、且つ該保護ケース内には更に第一、第二延長ケーブルを納置する腔体を有することを特徴とする請求項２記載の電気自動車の充電延長ケーブル。
【請求項４】
前記延長ケーブルコンセントの外側には、絶縁チューブを設置することを特徴とする請求項３記載の電気自動車の充電延長ケーブル。
【考案の詳細な説明】
【技術分野】
【０００１】
本考案は、電気自動車の充電設備に関するもので、電気自動車の充電延長ケーブルに係る。
【背景技術】
【０００２】
新エネルギー自動車は、国の重点項目の一つであり、プラグイン式電気自動車は、現段階において、最もよく見かける新エネルギー自動車であり、プラグイン式の電気自動車は、充電ステーションと充電スポットもしくはその他組立充電施設でプラグイン充電の必要がある。
【考案の概要】
【考案が解決しようとする課題】
【０００３】
解決しようとする問題点は、現在の電気自動車の充電ステーションと充電スポット及びその組立充電施設の数が依然少なすぎ、更に均一に分布してない点である。これはプラグイン式電気自動車が急速に普及するのに大きな問題であり、如何にして安全、且つ便利な電気自動車であるかは、カーオーナーにとって切迫して解決しなければならない問題である。
【課題を解決するための手段】
【０００４】
本考案は、延長ケーブル主体を含む。該延長ケーブル主体は、家庭用回路と相互に連接する延長ケーブルプラグを含む。該延長ケーブルプラグは、第一延長ケーブルで電磁保護スイッチを連接し、該電磁保護スイッチの電流出力端は電気メーターを連接し、該電気メーターの電流出力端は第二延長ケーブルで延長ケーブルコンセントを連接し、該延長ケーブルコンセントは電気自動車充電ガンと連接するのに用いる。本考案の電気自動車の充電延長ケーブルは電磁保護機能を備え、充電時の安全性を向上させ、家庭用回路と連接することを最も主要な特徴とする。
【考案の効果】
【０００５】
本考案の電気自動車の充電延長ケーブルは、充電ステーションもしくは充電スポットで充電する以外、充電場所の問題を有効に解決し、更に電気メーターを備えることで、具体的な充電量の統計を実施するという利点がある。
【図面の簡単な説明】
【０００６】
【図１】本考案の構造全体指示図である。
【考案を実施するための形態】
【０００７】
上述の問題を改善するため、電気自動車の充電延長ケーブルを提供することを本考案の目的とする。
【０００８】
本考案の目的は以下の技術によって実現される。
【０００９】
本考案は、電気自動車の充電延長ケーブルであり、それは家庭用回路と電気自動車充電ガンの間に連接し、：延長ケーブル主体を含み、該延長ケーブル主体は家庭用回路と相互に連接する延長ケーブルプラグを含む。該延長ケーブルプラグは第一延長ケーブルで電磁保護スイッチを連接し、該電磁保護スイッチの電流出力端は電気メーターを連接し、該電気メーターの電流出力端は第二延長ケーブルで延長ケーブルコンセントを連接し、該延長ケーブルコンセントは電気自動車充電ガンと連接するのに用いる。
【００１０】
更に本考案は回路コネクタを含む。該回路コネクタは入力端子とコネクタコンセントを含む。該入力端子と家庭用回路の電気メーターの電流出力端は相互に連接し、該コネクタコンセントと該延長ケーブル主体の延長ケーブルプラグの間は相互にプラグインする。
【００１１】
更に該延長ケーブル主体は更に保護ケースを含む。該電磁保護スイッチと電気メーターは共に該保護ケース内に設置し、且つ該保護ケース内には更に第一、第二延長ケーブルを納置する腔体を形成する。
【００１２】
更に，該延長ケーブルコンセントの外側には絶縁チューブを設置する。
【００１３】
本考案の電気自動車の充電延長ケーブルは電磁保護機能を備え、充電時の安全性を高め、家庭用回路と連接することで、電気自動車カーオーナーは充電ステーションもしくは充電スポットを除く他の場所の充電を行い、充電場所の問題を改善する。更に電気メーターを備えることで、具体的な充電量の統計を実施できる。
【実施例】
【００１４】
本考案の目的を達成するため、図式と共に具体的な実施例を挙げて詳細に説明するが、実施例は本考案を理解するためであって、本考案を制限するものではない。
【００１５】
図１に示すとおり、本考案の電気自動車の充電延長ケーブルは、家庭用回路と電気自動車充電ガン２０の間に連接し、それは延長ケーブル主体を含む。該延長ケーブル主体は、家庭用回路と相互に連接する延長ケーブルプラグ１を含む。該延長ケーブルプラグ１は第一延長ケーブル２で電磁保護スイッチ３を連接する。該電磁保護スイッチ３は、その電流量を制御するのに用い、その電流が大きすぎる時、電磁保護スイッチ３が回路を切断して、延長ケーブル主体に対して保護する。該電磁保護スイッチ３の電流出力端は電気メーター４に連接し、該電気メーター４の電流出力端は、第二延長ケーブル５で延長ケーブルコンセント９を連接し、該延長ケーブルコンセント９は電気自動車充電ガン２０と連接するのに用いる。本考案は、電気メーター４を設置することによって、カーオーナーは毎回充電で使用した電気量を直接見ることができる。
【００１６】
更に本考案は該回路コネクタを含む。該回路コネクタは入力端子６とコネクタコンセント７を含む。該入力端子６は家庭用回路内の電気メーターの電流出力端と相互に連接する。該コネクタコンセント７と該延長ケーブル主体の延長ケーブルプラグ１の間は相互にプラグインする。電気自動車の充電電流は比較的大きく約２５Ａであるため、現在の家庭の殆どのコンセントではその電流要求には応えることができない。故に本考案を回路コネクタに設置し、家庭用回路の電気メーターの電流出力端と直接相互に接続し、延長ケーブル主体の延長ケーブルプラグ１とそのコネクタコンセント７を接続すると、充電ができ、便利に使用できる。
【００１７】
更に，該延長ケーブル主体は更に保護ケース８を更に含む。該電磁保護スイッチ３と電気メーター４は共に該保護ケース８内に設置し、且つ該保護ケース８内には更に第一、第二延長ケーブル２、５を納置する腔体を有し、該保護ケース８は、電磁保護スイッチ３と電気メーター４に対して有効に保護し、且つ更に第一、第二延長ケーブル２、５を収納し、携帯と保管が便利になる。
【００１８】
更に，該延長ケーブルコンセント９の外側には絶縁チューブ１０を設置し、それは、感電を有効に防止し、更に安全性を高める。
【００１９】
以上は、本考案の良好な実施例に過ぎず、本考案を制限するものではなく、本考案の精神と原則に基づく同効果の修飾及び変更はすべて本考案の請求項に含まれるものとする。
【符号の説明】
【００２０】
１        延長ケーブルプラグ
２        第一延長ケーブル
２０        電気自動車充電ガン
３        電磁保護スイッチ
４        電気メーター
５        第二延長ケーブル
６        入力端子
７        コネクタコンセント
８        保護ケース
９        延長ケーブルコンセント
１０        絶縁チューブ
【図１】
0003212606.tif 000003